(57)【要約】  自動分析装置は、反応容器中の試料と試薬の混合液に光源からの光を入射し、透過もしくは散乱される光量や波長の変化を受光器で捉えることにより目的成分の定量、定性分析を行う。受光器に外部からの光など光源以外の光が入光すると、光の光量や波長の変化を正しく測光することができなくなるため、目的成分の分析も正しく測定できなくなる。特に、複数の分析ポートを備えた分析ユニットの構成において、ある分析ポートにて分析実施中に、他の分析ポートに各種機構がアクセスすることにより、この機構に反射した光等の外乱光が分析中の分析ポートに進入し、測定結果に影響を及ぼすことがあった。  複数の分析ポートを備えた分析ユニットにおいて、第１の遮光機構と開口部を備えた第２の遮光機構により、分析中の分析ポートに外乱光を入射させることなく、任意の分析ポートに各種機構がアクセスすることのできる自動分析装置を提供する。
2017033641.tif 000002
【特許請求の範囲】
【請求項１】
サンプルと試薬との混合液を収容する反応容器と、
該反応容器に、前記サンプル、前記試薬を分注する分注機構と、
当該混合液が収容された反応容器に光を照射する光源と、当該光源から照射された光を受光する受光部と、からなる光学系を有する分析ポートを複数備えた分析ユニットと、
当該複数の分析ポートのうちの全ての分析ポートを遮光する第１の遮光機構と、
開口部を有し、当該複数の分析ポートのうちの一部の分析ポートを遮光する第２の遮光機構と、
前記分注機構、前記第１の遮光機構、及び前記第２の遮光機構の動作を制御する制御部と、を備え、
前記制御部は、
前記第１の遮光機構によって全ての分析ポートを遮光している状態で、所定の分析ポートの位置に前記開口部を位置づけるように前記第２の遮光機構を移動し、
当該第２の遮光機構の移動後、当該第１の遮光機構による遮光を外すように、前記第１の遮光機構を移動することを特徴とする自動分析装置。
【請求項２】
請求項１に記載された自動分析装置であって、
前記制御部は、当該第２の遮光機構の移動後、当該開口部を介して前記所定の分析ポートにアクセスするように、前記分注機構を制御することを特徴とする自動分析装置。
【請求項３】
請求項２に記載された自動分析装置であって、
前記制御部は、当該分注機構が所定の分析ポートにアクセスしているときに、当該第２の遮光機構によって遮光される分析ポートに収容される反応容器に光を照射し、当該照射された光を受光するように、前記光学系を制御することを特徴とする自動分析装置。
【請求項４】
請求項１に記載された自動分析装置であって、
前記反応容器を前記分析ポートの所定の位置へ搬送し、搬入および搬出を行う移載機構を備え、
前記制御部は、当該第２の遮光機構の移動後、当該開口部を介して前記所定の分析ポートにアクセスするように、前記移載機構を制御することを特徴とする自動分析装置。
【請求項５】
請求項４に記載された自動分析装置であって、
前記制御部は、当該移載機構が所定の分析ポートにアクセスしているときに、当該第２の遮光機構によって遮光される分析ポートに収容される反応容器に光を照射し、当該照射された光を受光するように、前記光学系を制御することを特徴とする自動分析装置。
【請求項６】
請求項１に記載された自動分析装置であって、
前記反応容器を前記分析ポートの所定の位置へ搬送し、搬入および搬出を行う移載機構を備え、
前記制御部は、
前記第１の遮光機構によって全ての分析ポートを遮光している状態で、所定の分析ポートの位置に前記開口部を位置づけるように前記第２の遮光機構を移動し、
当該第２の遮光機構の移動後、当該第１の遮光機構による遮光を外すように、前記第１の遮光機構を移動し、
当該第２の遮光機構の移動後、前記分注機構、前記移載機構の少なくともいずれかが、当該開口部を介して前記所定の分析ポートにアクセスするように制御することを特徴とする自動分析装置。
【請求項７】
請求項１に記載された自動分析装置であって、
前記光源は、前記分注ポートに保持される反応容器の下方から光を照射するように構成されることを特徴とする自動分析装置。
【請求項８】
請求項１に記載された自動分析装置であって、
前記受光部は、前記分注ポートに保持される反応容器の下方から光を受光するように構成されることを特徴とする自動分析装置。
【請求項９】
請求項１に記載された自動分析装置であって、
前記分析ユニットは、当該複数の分析ポートが直列に配置されることにより構成されることを特徴とする自動分析装置。
【請求項１０】
請求項１に記載された自動分析装置であって、
前記分析ユニットは、当該複数の分析ポートが円周状に配置されることにより構成されることを特徴とする自動分析装置。
【請求項１１】
サンプルを収容するサンプル容器を保持するサンプルラックを搬送する搬送ラインと、
前記搬送ラインに沿って配置される複数の分析部と、
当該サンプルラックの搬送を制御する制御部と、を備え、
前記分析部は、
当該搬送ライン上のサンプルラックに保持されるサンプル容器に収容されるサンプルを、前記分析部における反応容器に分注するサンプル分注機構と、
当該サンプルが分注された反応容器に、試薬を分注する試薬分注機構と、
当該サンプルと試薬との混合液が収容された反応容器に光を照射する光源と、当該光源から照射された光を受光する受光部と、からなる光学系を有する分析ポートを複数備えた分析ユニットと、
当該複数の分析ポートのうちの全ての分析ポートを遮光する第１の遮光機構と、
開口部を有し、当該複数の分析ポートのうちの一部の分析ポートを遮光する第２の遮光機構と、
前記分注機構、前記第１の遮光機構、及び前記第２の遮光機構の動作を制御する制御部と、を備え、
前記制御部は、
前記第１の遮光機構によって全ての分析ポートを遮光している状態で、所定の分析ポートの位置に前記開口部を位置づけるように前記第２の遮光機構を移動し、
当該第２の遮光機構の移動後、当該第１の遮光機構による遮光を外すように、前記第１の遮光機構を移動することを特徴とする自動分析装置。
【請求項１２】
サンプルと試薬との混合液を収容する反応容器と、
該反応容器に、前記サンプル、前記試薬を分注する分注機構と、
当該混合液が収容された反応容器に光を照射する光源と、当該光源から照射された光を受光する受光部と、からなる光学系を有する分析ポートを複数備えた分析ユニットと、
当該複数の分析ポートのうちの全ての分析ポートを遮光する第１の遮光機構と、
開口部を有し、当該複数の分析ポートのうちの一部の分析ポートを遮光する第２の遮光機構と、
前記分注機構、前記第１の遮光機構、及び前記第２の遮光機構の動作を制御する制御部と、を備えた自動分析装置における分析方法であって、
前記制御部は、
前記第１の遮光機構によって全ての分析ポートを遮光している状態で、所定の分析ポートの位置に前記開口部を位置づけるように前記第２の遮光機構を移動し、
当該第２の遮光機構の移動後、当該第１の遮光機構による遮光を外すように、前記第１の遮光機構を移動することを特徴とする自動分析方法。
【発明の詳細な説明】
【技術分野】
【０００１】
本発明は、血液等の生体サンプルに含まれる成分を自動的に分析する自動分析装置に係り、特に、分析対象に対して光を照射する光源と、光源から照射された光を検出する検出器とから構成される分析ポートを複数備えた自動分析装置に関する技術である。
【背景技術】
【０００２】
血液等の生体サンプルに含まれる目的の成分を分析する装置として、光源からの光を、分析対象である、サンプルと試薬とが混合した反応液に照射して得られる単一または複数の波長の透過光や散乱光の光量を測定する自動分析装置が広く用いられている。【０００３】
自動分析装置には、生化学検査や血液学検査の分野等で生体サンプル中の目的成分の定量、定性分析を行う生化学分析用の装置や、サンプルである血液の凝固能を測定する血液凝固分析用の装置等がある。【０００４】
いずれの分析でも光源の光の光量や波長の変化を受光器で捉えることにより目的成分の定量、定性分析を行う。受光器に外部からの光など光源以外の光が入光すると、光の光量や波長の変化を正しく測光することができなくなるため、目的成分の分析も正しく測定できなくなる。【０００５】
外部からの光が受光器に入ることを防ぐための技術に関し、特許文献１では、開口部を設けた遮光機構を２つ備え、測定容器を検出器に載置等する際に、過大光から受光素子を保護する技術について説明されている。【０００６】
また、特許文献２には、試験管設置位置の下方に設けられ、測光時以外、すなわち試験管が測定室に設置されていない状態においては検出器への光入射を遮光し、かつ測定室に試験管が挿入されたときには、該試験管が押し込まれることに伴って下降動作して検出器への測定対象からの光の入光を可能にする遮光部材と、測光時において試験管の上部に設置され開口部を覆うカバーとを備えた構成について記載されている。【０００７】
また、特許文献３では、測定部位のキュベット装着位置上の測定部位と試薬分注機構との間を遮光するシャッター機構とを備え、試薬分注機構が測光部位上を回転往復移動するときはキュベット装着位置上をシャッター機構によって被う技術について説明されている。
【先行技術文献】
【特許文献】
【０００８】
【特許文献１】特開２０１２−００２７３３号公報
【特許文献２】特開２０００−１４６８２５号公報
【特許文献３】特開２００１−１６５９３７号公報
【発明の概要】
【発明が解決しようとする課題】
【０００９】
近年、分析処理数の増加や分析項目数の増加といった要求に対応するために、複数の分析ポートを備えた自動分析装置の重要性がますます高まっている。このように複数の分析ポートを備えた構成では、分析処理を効率良く進めるために、サンプルの測光と、サンプルや試薬等の分注機構といった各種機構の分析ポートへのアクセスとが、同時に実施されることが望ましい。【００１０】
しかしながら、特許文献１に記載された遮光機構の構成では、各種機構が分析部にアクセスする際に受光器を遮光する必要があるため、アクセスしている間にサンプルを測光することができない。すなわち、上述した２つの動作を同時に実施できない。【００１１】
また、特許文献２にて説明される遮光機構の構成については、上述の通り、ばねを有する遮光部材は、試験管の挿入時、排出時に、受光器を保護するために遮光することができるものの、試験管が測定室に設置されている場合にはそもそも機能しない。また、本文献における測光時に試験管の開口部を遮光するカバー部材に関しては、複数の分析ポートに適用する場合には、分析ポートの数だけカバー部材を個別に用意する必要がある。この場合、サンプルの測光と分析ポートへのアクセスを同時に実施できるが、コストや装置スペースの面から課題がある。【００１２】
また、特許文献３にて説明される遮光機構の構成については、複数の分析ポートに共通した単一の遮光機構を備えた構成の場合、例えば、ある特定の分析ポートにてサンプルを測光している間に、他の分析ポートには種々の機構がアクセスできるようにするためには、分析ポートを開口する必要がある。このとき、測光中の分析ポートにおける光源の光が、分注機構等の他の構造物に反射した光や、外部から入り込んだ光等が検出器に検出されることによって、測光結果に影響を与える可能性がある。【００１３】
本発明の目的は、複数の分析ポートを備えた構成においても、各分析ポートに対する動作を効率良く行うことで高速に分析を実行し、かつ、測定結果へのノイズの影響を抑えた信頼性の高い分析を実現することに関する。
【課題を解決するための手段】
【００１４】
上記課題を解決するための一態様として、試料と試薬との混合液を収容する反応容器と、該反応容器に、前記試料、前記試薬を分注する分注機構と、当該混合液が収容された反応容器に光を照射する光源と、当該光源から照射された光を受光する受光部と、からなる光学系を有する分析ポートを複数備えた分析ユニットと、当該複数の分析ポートのうちの全ての分析ポートを遮光する第１の遮光機構と、開口部を有し、当該複数の分析ポートのうちの一部の分析ポートを遮光する第２の遮光機構と、前記分注機構、前記第１の遮光機構、及び前記第２の遮光機構の動作を制御する制御部と、を備え、前記制御部は、前記第１の遮光機構によって全ての分析ポートを遮光している状態で、所定の分析ポートの位置に前記開口部を位置づけるように前記第２の遮光機構を移動し、当該第２の遮光機構の移動後、当該第１の遮光機構による遮光を外すように、前記第１の遮光機構を移動することを特徴とする自動分析装置を提供する。
【発明の効果】
【００１５】
上記一態様によれば、複数の分析ポートを備えた自動分析装置において、サンプルの測光を実行する分析ポートを確実に遮光するとともに、その間、その他の任意の分析ポートは分注機構等がアクセスできるよう開口しているため、測光結果へのノイズの影響を低減し、高精度かつ高速な分析の実現に寄与する。
【図面の簡単な説明】
【００１６】
【図１】本実施の形態に係る自動分析装置の基本構成を示す図。
【図２】本実施の形態(第１の実施の形態)に係る分析ポートの構成を示す断面図。
【図３】本実施の形態(第１の実施の形態)に係る遮光機構を備えた分析ユニットの基本構成を示す斜視図。
【図４】本実施の形態（第１の実施の形態）に係る分析ユニットにおける試薬分注時の遮光機構の構成を説明する断面図。
【図５Ａ】本実施の形態（第１の実施の形態）に係る分析ユニットにおける試薬分注時の遮光機構の動作を説明する上面図。
【図５Ｂ】本実施の形態（第１の実施の形態）に係る分析ユニットにおける試薬分注時の遮光機構の動作を説明するフローチャート。
【図６】本実施の形態(第３の実施の形態)に係る分析ポートの構成を示す断面図。
【図７】本実施の形態(第４の実施の形態)に係る分析ポートの構成を示す上面図。
【図８】分析ポートを複数備えた従来の分析ユニットの構成を説明する断面図。
【図９】本実施の形態（第５の実施の形態）に係る２モジュールの血液凝固分析部を備えた自動分析装置の基本構成を示す図。
【図１０】本実施の形態（第５の実施の形態）に係る自動分析装置における血液凝固分析部の構成を示す図。
【図１１】本実施の形態（第６の実施の形態）に係る生化学分析部と血液凝固分析部とを備えた自動分析装置の基本構成を示す図。
【図１２】本実施の形態（第２の実施の形態）に係る分析ユニットにおける試薬分注時の遮光機構の動作を説明する上面図。
【図１３】本実施の形態（第１の実施の形態）に係る第１、第２の遮光機構の配置と遮光範囲との関係を説明する図。
【図１４】本実施の形態（第１の実施の形態）に係る分析ユニットにおける分析動作時の動作を説明するタイムチャート。
【発明を実施するための形態】
【００１７】
以下、本発明を実施するための形態について図面を用いて詳細に説明する。なお、全体を通して、各図における同一の機能を有する各構成部分については原則として同一の符号を付すようにし、説明を省略することがある。
【第１の実施の形態】
【００１８】
〈装置の全体構成〉
図１に、本実施の形態に係る自動分析装置の基本構成を示す。ここでは、自動分析装置の一態様として血液凝固分析を行う装置の例について説明する。本図に示すように、自動分析装置１００は、主として、サンプルディスク１０２、試薬ディスク１０４、サンプル分注機構１０６、試薬分注機構１０７、サンプル分注ポート１０８、分析ポート１０９、反応容器供給部１１０、第１の遮光機構１１７、第２の遮光機構１１８、反応容器移載機構１１３、および制御部１１４等から構成される。
【００１９】
サンプルディスク１０２は、時計回り、反時計回りに回転自在なディスク状のユニットであって、標準サンプルや被検サンプル等のサンプルを収容するサンプル容器(試料容器)１０１をその円周上に複数個配置することができる。
【００２０】
試薬ディスク１０４は、サンプルディスク１０２と同様に、時計回り、反時計回りに回転自在なディスク状のユニットであって、サンプルに含まれる各検査項目の成分と反応する成分を含有する試薬を収容する試薬容器１０３をその円周上に複数個配置できる。また、本図には示していないが、試薬ディスク１０４では、保冷機構等を備えることにより、配置された試薬容器１０３内の試薬を保冷可能に構成することもできる。
【００２１】
反応容器移載機構１１３は、分析に使用する反応容器１０５を反応容器供給部１１０からサンプル分注ポート１０８に移送し、搬入する。また、サンプルが分注された後の反応容器１０５を、サンプル分注ポート１０８から搬出し、分析ポート１０９に移送、搬入する。分析終了後は、分析ポート１０９内の反応容器１０５を搬出し、反応容器廃棄部１１２へ移送する。
【００２２】
サンプル分注機構１０６は、サンプルディスク１０２に保持されたサンプル容器１０１内のサンプルを吸引して、サンプル分注ポート１０８に設置された反応容器１０５内へのサンプルの分注を行う。ここで、サンプル分注機構１０６の動作は、図示しないサンプル用シリンジポンプの動作に伴って、制御部１１４の指示に基づいて制御される。
【００２３】
試薬分注機構１０７は、試薬ディスク１０４に保持された試薬容器１０３内の試薬を吸引して、分析ポート１０９に設置された、サンプルが分注された反応容器１０５内に分注を行う。ここで、試薬分注機構１０７の動作は、図示しない試薬用シリンジポンプの動作に伴って、制御部１１４の指示に基づいて制御される。
【００２４】
洗浄機構１１１では、サンプル分注機構１０６、試薬分注機構１０７の洗浄を行う。
【００２５】
また、全体を通して、制御部１１４は、サンプルディスク１０２、試薬ディスク１０４、第１の遮光機構１１７および第２の遮光機構１１８の開閉動作、サンプル分注機構１０６、試薬分注機構１０７の上下および水平動作や、図示しないサンプル用シリンジポンプ、試薬用シリンジポンプの動作、洗浄機構１１１における図示しない洗浄水の供給動作、分析ポート１０９ａの光源１１５および受光部１１６の動作、検出結果に基づく血液凝固時間や目的成分の濃度の演算などのデータ処理動作等、自動分析装置１００を構成する種々の構成の動作や条件設定等の制御を実施する。なお、本図において制御部１１４は各々の構成部に接続され、自動分析装置の全体を制御するものとしたが、構成部ごとに各々独立した制御部を備えるように構成することもできる。
【００２６】
〈分析ポートの構成〉
図２は、本実施の形態に係る自動分析装置における分析ユニットの各分析ポートの基本構成を示す断面図である。分析ポート１０９には反応容器１０５を設置するための溝が設けられている。図１に示したように、本実施の形態に係る自動分析装置の分析ユニット１０９では、分析ポート１０９ａが複数設けられている。
【００２７】
よって、反応容器１０５をそれぞれの分析ポート１０９ａに設置することができ、複数のサンプルの分析を同時に行うことができる。なお、図１では、分析ユニット１０９において複数の分析ポート１０９ａが一列に配置された構成について説明したが、これに限られるものではなく、例えば、試薬分注機構１０７や反応容器移載機構１１３が、上述のような水平移動ではなく、回転移動する構成の場合は、円形のディスク状の分析ユニット１０９の円周に沿って複数の分析ポート１０９ａを備えるなど、他の機構の構成や動作に合わせて種々の分析ユニット１０９の構成に適用することができる。
【００２８】
分析ポート１０９ａは、収容される１つの反応容器１０５に対して、光源１１５と、受光部（検出器）１１６とをそれぞれ備えている。なお、図２では、１つの反応容器１０５に１つの光源１１５と２つの受光部１１６を備えた構成について示しているが、これに限られるものではない。例えば、分析条件等に応じて、１つの反応容器１０５に対して受光部１１６の数を１つにすることもできるし、あるいは３つ以上にすることもできる。同様に、光源１１５の数を２つ以上にすることもできるし、あるいは複数の反応容器１０５に対して、光源１１５を1つにするなど、必要に応じて種々の構成に適用することができる。
【００２９】
本図に示すように、光源１１５は分析ポート１０９ａに保持される反応容器１０５の下方に設置され、受光部１１６は、分析ポート１０９ａに保持される反応容器１０５の側面側に、反応液７０４（サンプルと試薬との混合液をいう。）が全量収容された状態の液面の高さよりも下方の高さとなるように設置されている。分析ポート１０９ａに設置された反応容器１０５中の反応液７０４には光源１１５からの光が下方から照射され、反応液中で生じた反応によって産生された析出物により、散乱される。析出物が増加するとこのように散乱される光も増加するため、この散乱光を受光部（検出器）１１６で検出することによって析出物の量を求めることができる。
【００３０】
例えば血液凝固検査項目では、サンプルと試薬とが反応すると、時間の経過とともにフィブリンが析出する。そして、このフィブリンの析出に伴って散乱される光量も増加する。この光量を検出することで、サンプル中のフィブリノーゲン量（Ｆｂｇ）を求めることができる。また、各々の検査項目に対応する試薬を用いて同様に光量を監視することで、プロトロンビン時間（ＰＴ）や活性化部分トロンボプラスチン時間（ＡＰＴＴ）等の他の血液凝固検査項目を分析することもできる。例えば、本図に示すように、光源１１５を分析ポート１０９ａに設置された反応容器１０５の下部に配置し、受光部（検出器）１１６は光源１１５の光軸に対して９０°になるよう対面に２つ配置した場合、収容された反応容器１１５の下部の光源１１５から照射された光は、反応液中のフィブリンの析出によって散乱され、この散乱光量はフィブリンの析出が増加するに伴って増加し、受光部（検出器）１１６に検出される。
【００３１】
<分析ユニット>
図３は、本実施の形態に係る遮光機構を備えた分析ユニットの基本構成を示す斜視図である。上述の通り、本実施の形態に係る分析ユニット１０９は、複数の分析ポート１０９ａから構成される。ここで、分析ユニット１０９は、収容された反応容器１０５の上方に第１の遮光機構１１７と第２の遮光機構１１８とを有する。
【００３２】
第１の遮光機構１１７は、開閉を行うための駆動部（本図には示していない）を備えており、図１に示した制御部１１４の指示に基づいて、図中１１７ａ、１１７ｂの方向に移動することによって開閉動作を行う。すなわち、第１の遮光機構１１７が紙面の奥側の方向１１７ａへ移動することによって分析ユニット１０９における各分析ポート１０９ａを開口する。また、第１の遮光機構１１８が紙面の手前側の方向１１７ｂへ移動することによって分析ユニット１０９における各分析ポート１０９ａを遮光する。
【００３３】
第２の遮光機構１１８は、第１の遮光機構１１７と分析ユニット１０９との間に設置されている。第２の遮光機構１１８には、任意の位置の分析ポート１０９ａに対して分注機構等の機構がアクセスできるように開口部１１８１が設けられている。ここで、開口部１１８１の大きさは、サンプル分注機構１０６や、試薬分注機構１０７、反応容器移載機構１１３等の機構がアクセスする際に干渉が無く、隣接する位置の分析ポート１０９ａに収容される反応容器１０５が上方から見て隠れるサイズに設定されている。例えば、一例として、反応容器の直径が約７ｍｍ、各分析ポート１０９ａの間隔が約１８ｍｍであるとき、開口部１１８１の直径は７ｍｍ以上２９ｍｍ以下であれば良い。ただし、開口部の直径は小さければ小さいほど外乱光の影響を小さくすることができるため、機構が分析ポート１０９ａにアクセスする際に必要な最小限の直径とすることが望ましい。
【００３４】
第２の遮光機構１１８は開口部の位置を移動するための駆動部（本図には示していない）を備えており、制御部１１４の指示に基づいて複数の分析ポート１０９ａの反応容器１０５が配列されている方向に沿った方向、すなわち図中１１８ａ、１１８ｂの方向に動作する。すなわち、本図に示した構成の例では、第２の遮光機構１１８が図中右方向１１８ａへ移動すると、開口部１１８１は分析ポート１０９ａのＮｏ．２の位置からＮｏ．１の位置へ移動する。また、第２の遮光機構１１８が図中左方向１１８ｂへ移動すると、開口部１１８１は分析ポート１０９ａのＮｏ．２の位置から、Ｎｏ．３あるいはＮｏ．４の位置へ移動する。なお、本図においては第２の遮光機構１１８の開口部１１８１が１箇所設けられている構成について示したが、これに限られるものではなく、分析条件に応じて２箇所とするなど、種々の構成に適用することができる。
【００３５】
第２の遮光機構１１８が開口部１１８１を２箇所備える構成については、第２の実施の形態にて後述する。
【００３６】
<遮光機構の動作>
図４は、本実施の形態に係る分析ユニットにおける試薬分注時の遮光機構の構成を説明する断面図である。本図において、分析ポート１０９ａのＮｏ．２の位置に配置された反応容器１０５に対し、試薬分注機構１０７が試薬の吐出動作を開始しようとしている。本図に示すように、分析ポート１０９ａのＮｏ．２の位置に配置された反応容器１０５に対して、試薬分注機構１０７が試薬を吐出する際には、第１の遮光機構は分析ユニット１０９に対して紙面奥側の方向に移動し、分析ユニット１０９の各分析ポート１０９ａが開口した状態にする必要がある。
【００３７】
ここで、図８は、分析ポートを複数備えた従来の分析ユニットの構成を示す断面図である。すなわち、本実施の形態に係る第１の遮光機構１１７、第２の遮光機構１１８を備えておらず、分析ユニット１０９における全ての分析ポート１０９ａが開口している様子を示す。
【００３８】
サンプルと試薬との混合液に濁度がある場合、外乱光が分析中の分析ポート１０９ａに入射すると、入射した光は散乱され、受光部（検出器）１１６に入光し、測光データを乱す原因となる。例えば、外乱光のひとつとして、分析ポート１０９ａの光源１１５からの光を用いて説明する。本図に示すように、分析ポート１０９ａの光源１１５から、反応液７０４が収容された反応容器１０５に対して入射された光４０１は、反応容器１０５の上方に位置する試薬分注動作中の試薬分注機構１０７にぶつかって反射する。その結果、生じた反射光４０２は、隣接する、測光動作中の分析ポート１０９ａのＮｏ．３の方向へ入射し、この位置の分注ポート１０９ａにおける図示しない受光部（検出器）１１６に検出され、ノイズとなる。またここで、分析ユニット１０９における全ての分析ポート１０９ａの遮光または開口を担う遮光機構（本実施の形態の第１の遮光機構に相当）を備えたとしても、この構成においては、いずれかの分析ポート１０９ａに対して試薬分注機構１０７がアクセスする際には、全ての分析ポートａを開口しなければならないこととなるため、やはり、試薬分注機構１０７にぶつかって生じた反射光４０２が、測光動作中の分析ポート１０９ａの位置の方向へ進入し、ノイズの原因となる。さらに、このとき、ノイズの影響を抑えるために、機構がアクセスする対象となる分析ポート１０９ａの光源をＯＦＦにするということも考えられる。しかしながら、熱や電流の変動等によって、光源をＯＮにした直後の光量の変動が大きくなるため、特に血液凝固分析装置のように、サンプルへの試薬の吐出直後から測定を開始する分析条件の場合には適さない。
【００３９】
ここで図４に戻り、上述した従来の構成に対して、本実施の形態に係る遮光機構を備えた分析ユニット１０９においては、試薬分注機構１０７にぶつかることで生じた反射光４０２に対して、第２の遮光機構１１８がブロックする役割を担うため、隣接する分析ポート１０９ａのＮｏ．３の測光動作に影響することがない。また、反射光４０２の進行方向が本図に示した方向と異なっていたとしても、分析ポート１０９ａのＮｏ．２以外の任意の位置に対する反射光の進入を防ぐことができる。
【００４０】
そして、分析ポート１０９ａのＮｏ．２の位置においては、試薬分注機構１０７は第２の遮光機構１１８の開口部１１８１を通して反応容器１０５にアクセスし、試薬を吐出することができる。
【００４１】
なお、上述の構成では、一例として試薬分注機構１０７が反応容器１０５にアクセスしている場合について説明したが、これに代えて、サンプル分注機構１０６や反応容器移載機構１１３がアクセスする態様においても同様の効果を得ることができる。また、上述した例では第１の遮光機構１１７の下方に開口部を備えた第２の遮光機構１１８が配置された構成について説明しているが、第２の遮光機構１１８の下方に第１の遮光機構１１７を設けることも可能である。この場合にも、同様の効果を得ることができるが、後述するように遮光できる範囲は小さくなる。
【００４２】
ここで、図１３を用いて第１、第２の遮光機構の配置と遮光範囲との関係について説明する。図１３（ａ）は第１の遮光機構１１７の下方に開口部を備えた第２の遮光機構１１８が配置された構成であって、図２に示した構成と同様の配置である。図１３（ｂ）は開口部を備えた第２の遮光機構１１８の下方に第１の遮光機構１１７が配置された構成である。このとき、第１の遮光機構１１７は、開放された状態であるものとする。ここで、開口部の半径をｒ、受光位置から下側シャッターまでの距離をｈ、下側シャッターから上側シャッターまでの距離をΔｈとする。迷光の原因となる迷光源が受光位置からＨの距離にあるとした場合、図１３（ａ）では迷光源による照射範囲Ｒａは（Ｈ×ｒ）／（Ｈ−ｈ）となる。図１３（ｂ）では迷光源による照射範囲Ｒｂは（Ｈ×ｒ）／（Ｈ−（ｈ＋Δｈ））となる。これによりＲａ＜Ｒｂとなる。すなわち、（ａ）の構成の方が遮光できる範囲が広くなる。
【００４３】
なお、ポート間の距離がＲよりも大きければ迷光源による光の進入を防ぐことができる。
【００４４】
〈遮光機構の動作〉
続いて、本実施の形態に係る自動分析装置の各機構、特に遮光機構の動作の例についてより詳細に説明する。
【００４５】
まず、図１を用いて、サンプル分注動作について説明する。反応容器１０５に対するサンプル分注の動作の際には、自動分析装置１００における反応容器移載機構１１３が、反応容器供給部１１０に配置された反応容器１０５を把持し、サンプル分注ポート１０８へ搬送し設置する。サンプル分注機構１０６がサンプルディスク１０２に設置されたサンプル容器１０１上に移動し、サンプル容器１０１内に収容されたサンプルを吸引する。サンプルの吸引後、サンプル分注機構１０６はサンプル分注ポート１０８に設置された反応容器１０５上に移動し、サンプルを吐出することによって分注を行う。次に、反応容器移載機構１１３がサンプル分注後の反応容器１０５を把持し、分析ユニット１０９に設置する。
【００４６】
次に、図５Ａ、図５Ｂを用いて分析ユニット１０９における試薬分注時の第１の遮光機構１１７と第２の遮光機構１１８の動作について説明する。図５Ａは、本実施の形態に係る分析ユニットにおける試薬分注時の遮光機構の動作を説明する上面図である。また、図５Ｂは、本実施の形態に係る分析ユニットにおける試薬分注時の遮光機構の動作を説明するフローチャートである。ここで、本形態では試薬分注時について説明するが、分析ポート１０９ａへの反応容器１０５の設置時や、廃棄のための回収時等、その他の機構がアクセスする場合にも同様に適用することができる。サンプル分注、試薬分注時に本実施の形態に係る遮光機構を用いた場合には、上述した外部からの光を遮光することに加えて、分注による飛び散りに起因する測定結果への影響も低減することができる。なお、上述の通り、第１、第２の遮光機構１１７、１１８、試薬分注機構１０７等の動作は、制御部１１４により制御される。
【００４７】
図５（ａ）は第１の遮光機構１１７が閉じた状態であり、第２の遮光機構１１８の開口部１１８１は分析ポート１０９ａのＮｏ．１に位置するように、第２の遮光機構１１８を移動した後の様子である。ここで、動作としてはまず、第１の遮光機構１１７を、全ての分析ポートを閉じた状態とするように移動し（ステップ５０１）、試薬分注機構１０７等の他の機構がアクセスする対象である所定の分析ポート１０９ａの位置であるＮｏ．１に、開口部１１８１が位置するように第２の遮光機構１１８を移動する（ステップ５０２）。
【００４８】
次に、第１の遮光機構１１７が図中１１７ａの方向へ移動すると（ステップ５０３）、図５（ｂ）のように、第２の遮光機構１１８のみが分析ユニット１０９上に位置した状態となる。ここで、図５（ｂ）の状態では分析ポート１０９ａのＮｏ．１のみが開口部１１８１を介して露出しており、他は全て遮光されている状態となる。よって、分析ポート１０９ａのＮｏ．１以外の分析ポート１０９ａが分析のために測光中であっても、分析ポート１０９ａのＮｏ．１の光源１１５からの光が試薬分注機構１０７等の他の機構にぶつかって反射した光等の外乱光を受光部（検出器）１１６に入射させることなくアクセスし、開口部１１８１から反応容器１０５に対して試薬の吐出動作等を実行することなどができる。
【００４９】
分析ポート１０９ａのＮｏ．１へのアクセス、及び試薬分注等の各種の動作（ステップ５０４）が終了した後、第１の遮光機構１１７は分析ユニット１０９の全ての分析ポート１０９ａを遮光するように図中１１７ｂの方向へ移動し（ステップ５０５）、図５（ｃ）の状態となる。
【００５０】
続いて、次に機構がアクセスする対象となる分析ポート１０９ａがあるかどうかを判断し（ステップ５０６）、ここで例えば分析ポート１０９ａのＮｏ．２の位置における反応容器１０５に試薬を分注する場合には、図５（ｃ）の状態から、第２の遮光機構１１８が図中１１８ｂの方向に移動し、図５（ｄ）に示すように第２の遮光機構１１８の開口部１１８１が分析ポート１０９ａのＮｏ．２の位置となる。ここで、本形態では、先に分析ポート１０９ａのＮｏ．１の位置に機構がアクセスしたのちに、次の機構がアクセスする対象となる分析ポート１０９ａのＮｏ．２の位置へ移動する場合、すなわち第２の遮光機構１１８が図中１１８ｂの方向に移動する場合について説明しているが、先に機構がアクセスした分析ポート１０９ａの位置と、次にアクセスする対象となる分析ポート１０９ａの位置との位置関係によっては、図中１１８ａの方向に第２の遮光機構１１８が移動することがある。
【００５１】
その後、第１の遮光機構１１７が図中１１７ａの方向に移動することで、図５（ｅ）の状態となる。図５（ｅ）の状態において、第２の遮光機構１１８の開口部１１８１を介して、分析ポート１０９ａのＮｏ．２の位置に設置された反応容器１０５にアクセスし、試薬分注等の動作を実行することができる。この際、第２の遮光機構１１８によって、分析ポート１０９ａのＮｏ．２の位置以外の分析ポート１０９ａには、試薬分注機構１０７等の機構に反射した光などの外乱光が進入できない。そのため、測光中の分析ポート１０９ａの受光部１１６への光の入射を防ぐことができる。
【００５２】
一方、図５（ｃ）の後、次に機構がアクセスする対象となる分析ポート１０９ａが無い場合には、ここで本動作を終了する。
【００５３】
なお、上述した例では、分析ポート１０９ａのＮｏ．１の位置からから順にアクセスする場合について説明しているが、これに限られるものではない。すなわち、上述の手順に従って、第２の遮光機構１１８の開口部１１８１が、各種機構がアクセスする対象である分析ポート１０９ａの位置にくるように制御することにより、使用する分析ポート１０９の順番に依ることなく種々の態様に適用可能であり、同様の効果を得ることができる。
【００５４】
ここで、本実施の形態に係る分析ユニットにおける分析動作時の動作を説明するタイムチャートを図１４に示す。
【００５５】
以上より、複数の分析ポート１０９ａを備えている分析ユニット１０９において、全ての分析ポート１０９ａを遮光可能な第１の遮光機構１１７と、開口部を有し、複数の分析ポート１０９ａのうちの一部の分析ポート１０９ａを遮光する第２の遮光機構１１８を有する構成において、第１の遮光機構１１７によって全ての分析ポート１０９ａを遮光している状態で、アクセス対象である所定の分析ポート１０９ａの位置に開口部１１８１を位置づけるように第２の遮光機構１１８を移動し、第２の遮光機構１１８の移動後、第１の遮光機構１１７による遮光を外すように、第１の遮光機構を移動することにより、分析中の分析ポート１０９ａへの外乱光の入射を抑制し、かつ、任意の分析ポート１０９ａに各種機構がアクセスすることを可能とする。
【第２の実施の形態】
【００５６】
第１の実施の形態では、第２の遮光機構１１８が、開口部１１８１を１つ備えた構成について説明した。ここで、本実施の形態では、第２の遮光機構１１８が開口部１１８１を２箇所備える構成について、図１２を用いて説明する。
【００５７】
図１２は、本実施の形態に係る分析ユニットにおける試薬分注時の遮光機構の動作を説明する上面図である。ここで、第２の遮光機構１１８は、間隔をあけた２つの開口部１１８１、１１８２を備えている。
【００５８】
図１２（ａ）は第１の遮光機構１１７が閉じた状態であり、第２の遮光機構１１８の開口部１１８１は、分析ポート１０９ａのＮｏ．１に位置するように、第２の遮光機構１１８を移動した後の様子である。ここで、第２の遮光機構のもう一方の開口部１１８２の下方には、いずれの分析ポート１０９ａも位置していない。
【００５９】
次に、第１の遮光機構が図中１１７ａの方向へ移動すると、図１２（ｂ）のように、第２の遮光機構１１８のみが分析ユニット１０９上に位置した状態となる。ここで、分析ポート１０９ａのＮｏ．１のみが開口部１１８１を介して露出しており、他は全て遮光されている状態となる。よって、分析ポート１０９ａのＮｏ．１以外の分析ポート１０９ａが分析のために測光中であっても、分析ポート１０９ａのＮｏ．１の光源１１５からの光が試薬分注機構１０７等の他の機構にぶつかって反射した光等の外乱光を受光部（検出器）１１６に入射させることなくアクセスし、開口部１１８１から反応容器１０５に対して試薬の吐出動作等を実行することなどができる。
【００６０】
次に、第１の遮光機構１１７が分析ユニット１０９の全ての分析ポート１０９ａを遮光するように図中１１７ｂの方向へ移動すると、図１２（ｃ）の状態となる。
【００６１】
続いて、次に機構がアクセスする対象となる分析ポート１０９ａがあり、例えば分析ポート１０９ａのＮｏ．４の位置における反応容器に試薬を分注する場合には、図１２（ｃ）の状態から、第２の遮光機構１１８が図中１１８ａの方向に移動し、図１２（ｄ）に示すように、第２の遮光機構１１８の開口部１１８２が、分析ポート１０９ａのＮｏ．４の位置となる。
【００６２】
このように、２つの開口部１１８１、１１８２を有する第２の遮光機構１１８を備えた構成によれば、上述の例のように、分析ポート１０９ａのＮｏ．１の後に、Ｎｏ．４の位置にアクセスする場合には、第２の遮光機構１１８の移動量が少なくて済む。すなわち、第１の実施の形態に係る１つの開口部１１８１を有する第２の遮光機構１１８の場合には、分析ポート１０９ａのＮｏ．１の位置からＮｏ．４の位置まで移動するためには開口部１１８１は図中１１８ｂの方向へ分析ポート１０９のＮｏ．２，Ｎｏ．３，Ｎｏ．４の３つ分を移動することになるが、本実施の形態に係る第２の遮光機構１１８によれば、上述の通り図中１１８ｂの方向に１つ分移動させることで、開口部１１８２を分析ポート１０９ａのＮｏ．４の位置に位置づけることができる。
【第３の実施の形態】
【００６３】
上述の第１の実施の形態では、分析ポート１０９ａの光源１１５を分析ポート１０９ａに設置された反応容器１０５の下側に、受光部（検出器）１１６を分析ポート１０９ａに設置された反応容器１０５の側面に配置した構成について説明したが、本実施の形態にでは、光源１１５を分析ポート１０９ａに設置された反応容器１０５の側面に、受光部（検出器）１１６を分析ポート１０９ａに設置された反応容器１０５の下側に配置した場合について説明する。
【００６４】
図６は、本実施の形態に係る分析ユニットの構成を示す断面図である。本図に示すように、分析ポート１０９ａに設置された反応容器１０５の側面に配置された光源１１５からの光を、分析ポート１０９ａに設置された反応容器１０５の下側に配置される受光部（検出器）１１６により検出するように構成することができる。
【００６５】
光源１１５を分析ポート１０９ａに設置された反応容器１０５の側面に配置することにより、光源１１５からの光は反応液７０４に散乱された光のみが機構に反射されるため、外乱光を低減することができる。
【００６６】
なお、上述した例では光源および、受光部（検出器）１１６の数をそれぞれ１つとして説明したが、これに限られるものではなく、例えば、１つの反応容器１０５に対して、受光部１１６の数を２つ以上にすることや、光源１１５の数を２つ以上にすること、あるいは複数の反応容器１０５に対して、光源１１５を１つにするなど、種々の構成に適用することができる。
【第４の実施の形態】
【００６７】
上述した第１の実施の形態では、分析ポート１０９ａの光源１１５は分析ポート１０９ａに設置された反応容器１０５の下側に、受光部（検出器）１１６は分析ポート１０９ａに設置された反応容器１０５の側面に配置した構成について説明したが、光源１１５および受光部（検出器）１１６をともに分析ポート１０９ａに設置された反応容器１０５の側面に配置することができる。
【００６８】
光源１１５を分析ポート１０９ａに設置された反応容器１０５の側面に配置することにより、光源１１５からの光は反応液７０４に散乱された光のみが機構に反射されるため、外乱光を低減することができる。また、受光部（検出器）１１６を分析ポート１０９ａに設置された反応容器１０５の側面に配置することにより、外乱光は反応液７０４に散乱された光のみが受光部（検出器）１１６に入るため外乱光の影響を低減することができる。
【００６９】
なお、上述した例では光源１１５および、受光部（検出器）１１６の数をそれぞれ１つとして説明したが、これに限られるものではなく、例えば、１つの反応容器１０５に対して、受光部（検出器）１１６の数を２つ以上にすることや、光源１１５の数を２つ以上にすること、あるいは複数の反応容器１０５に対して、光源１１５を１つにするなど、種々の構成に適用することができる。
【００７０】
図７は、本実施の形態に係る分析ポートの構成を示す上面図である。本図に示すように、分析ポート１０９ａに設置された反応容器１０５の側面に配置された光源１１５からの光を、分析ポート１０９ａに設置された反応容器１０５の他の側面に配置される受光部（検出器）１１６により検出するように構成することができる。
【第５の実施の形態】
【００７１】
第１の実施の形態では、自動分析装置の一例である血液凝固分析を行う装置について、特に、１台で独立した装置として運用されるスタンドアローンタイプの構成を用いて説明した。
【００７２】
ところで、臨床検査のための自動分析装置には、このようなスタンドアローンタイプの装置の他にも、検査室の業務効率化のために、生化学分析や免疫分析、血液凝固分析等の複数の分析分野の分析部を接続し、共通したサンプルラック搬送ラインを用いて全体として１つの装置として運用するモジュールタイプの構成がある。
【００７３】
本実施の形態では、モジュールタイプの自動分析装置の一例として、２モジュールの血液凝固分析部を備えた自動分析装置への適用例について、図９を用いて説明する。
【００７４】
ここで、本図には示していないが、本実施の形態に係る第１の遮光機構１１７、第２の遮光機構１１８は、図９における分析ユニット９２６、９２７、図１０における分析ユニット１００６にそれぞれ適用される。なお、遮光機構の構成は上述した実施の形態と同様であるため、詳細な説明は省略する。ただし、モジュールタイプの装置の場合では、各分析ユニットにおける分析ポートの数が、スタンドアローンタイプの装置と比較して多くなる。
【００７５】
図９は、本実施の形態に係る２モジュールの血液凝固分析部を備えた自動分析装置の基本構成を示す図である。本図に示すように、モジュールタイプの自動分析装置９００は、サンプルと試薬との混合液である反応液を分析する複数の分析部である、第１血液凝固分析部９１２、第２血液凝固分析部９１７を有し、各分析部にサンプルを供給するために、サンプルを収容するサンプル容器を搭載するサンプルラック９０１を搬送する搬送ライン９０４、９０５を備えている。
【００７６】
分析の対象となる血漿等のサンプルが入ったサンプル容器を搭載したサンプルラック９０１を搬送する搬送系の一例として、搬送ライン９０４上へサンプルラック９０１を供給するラック供給部９０２、分析が終了し、搬送ライン９０５上を移動してきたサンプルラック９０１を収容するラック収納部９０３、サンプルラック９０１を各分析部に搬送する搬送ライン（送り方向）９０４、搬送ライン（戻り方向）９０５、分析待ちのサンプルラックを待機させるラック待機部９０６、搬送ライン９０４、９０５とラック待機部９０６間及びラック待機部９０６内でサンプルラック９０１を移載するラックハンドリング機構９０７、サンプルラック９０１の情報に基づいて搬送ライン９０５上のラックの行き先を振り分けるラック振り分け機構９０９、振り分けられたサンプルラック９０１をラック収納部９０３へ移動するラック戻し機構９０８、緊急の分析を要するサンプルラック９０１を投入する緊急サンプルラック投入部９１０、搬送ライン９０４上のサンプルラック９０１に付されたバーコード等の情報を読み取る読取部９１１（搬送ライン）を示す。
【００７７】
搬送ライン９０４に沿って配置される第１血液凝固分析部９１２の搬送系は、搬送ライン９０４からサンプルラック９０１に収容されているサンプルに対する分析依頼情報を照合するための読取部（第１血液凝固分析部）９１６と、搬送ライン９０４からサンプルラック９０１を受け取る第１ラック搬入機構９１４と、サンプルの分注が行われるサンプリングエリアを含むとともにサンプルの分注開始までサンプルラック９０１を待機可能である第１分注ライン９１３と、サンプル分注後のサンプルラック９０１を搬送ライン９０４、９０５に反搬送する第１ラックハンドリング機構９１５を備える。
【００７８】
搬送ライン９０４に沿って配置される第２血液凝固分析部９１７の搬送系も、上述した第１血液凝固分析部９１２の搬送系の構成と同様に、搬送ライン９０４からサンプルラック９０１に収容されているサンプルに対する分析依頼情報を照合するための読取部（第２血液凝固分析部）９２１と、搬送ライン９０４からサンプルラック９０１を受け取る第２ラック搬入機構９１９と、サンプルの分注が行われるサンプリングエリアを含むとともにサンプルの分注開始までサンプルラック９０１を待機可能である第２分注ライン９１８と、サンプル分注後のサンプルラック９０１を搬送ライン９０５に搬送する第２ラックハンドリング機構９２０を備える。
【００７９】
また全体を通して、制御部９２２は、上述したサンプルラック９０１の搬送動作やサンプル、試薬の分注動作、読取った情報に基づくサンプル９０１の振り分け、搬入・搬出の動作等、検出結果に基づく血液凝固時間や目的成分の濃度の演算などのデータ処理動作等、自動分析装置９００を構成する種々の構成の動作や条件設定等の制御を実施する。また、制御部９２２には、分析条件に関する各種データや、オペレータからの指示等が入力されるキーボード等の入力部９２５と、入力された情報やサンプル、試薬などから読取った情報、検出結果に関する情報等を記憶する記憶部９２３、検出結果、及び自動分析装置９００の各種操作に係るグラフィカルユーザーインターフェース（ＧＵＩ）等を表示する出力部９２４と接続されている。なお、本図において制御部９２２は各々の構成部に接続され、自動分析装置の全体を制御するものとしたが、構成部ごとに各々独立した制御部を備えるように構成することもできる。
【００８０】
次に、図１０を用いて上述した血液凝固分析部の構成についてより詳細に説明する。図１０において、サンプルラック上のサンプル容器内に収容されるサンプルを、測定に使用される反応容器１００１に分注するサンプル分注機構１０１７と、このサンプル分注動作の対象となる反応容器１００１を配置できるサンプル分注ポート１０１６と、待機状態の反応容器を収容する待機ポート１０１０を複数備える待機ユニット１０１１と、反応容器１００１が複数個ストックされる反応容器マガジン１００２と、反応容器１００１を移送し、必要に応じて各ポジションへの搬入、搬出を行う反応容器移載機構１０１２と、３７℃に温度調整され、血液凝固時間の測定の直前にサンプルや希釈等の処理が施された前処理サンプルを昇温するプリヒートポート１００８を複数個備えたプリヒートユニット１００９と、同じく３７℃に温度調整され血液凝固時間を測定する分析ポート１０１０を複数個備えた分析ユニット１００７と、試薬が封入された試薬ボトルが内蔵されている試薬カセット１００３が円周状に配置され、約１０℃に温度調整された試薬ディスク１００４と、試薬カセット供給部１０１３に配置された試薬カセット１００３を試薬ディスク１００４に移送する試薬カセット移送機構１０１５と、試薬ディスク１００４に移送された試薬カセット１００３の測定項目や使用期限等が入力されたバーコードやＲＦＩＤ等の媒体から試薬情報を読み取る試薬情報読取部１００５と、試薬カセット移送機構１０１５により試薬ディスク１００４から取り出され、使用済みの試薬カセット１００３を収納する試薬カセット収納部１０１４と、使用済みの反応容器１００１を廃棄する反応容器廃棄部１０２３と、サンプルプローブを洗浄するサンプルプローブ洗浄槽１０１８と、第１試薬分注機構１０１９の試薬プローブを洗浄する第１試薬プローブ洗浄槽１０２０と、第２試薬分注機構１０２１の試薬プローブを洗浄する第２試薬プローブ洗浄槽１０２２と、を備えている。
【００８１】
ここで、本図には示していないが、分析ユニット１００７における分析ポート１０１０の各々には、上述した実施の形態と同様に、反応容器１００１に収容されるサンプルと試薬との混合液である反応液に対して光を照射する光源と、光源からの光を検出する受光部（検出器）とからなる光学系を備えている。
【００８２】
血液凝固時間の測定は、検出された光のデータに基づいて制御部９２２において演算により求められる。
【第６の実施の形態】
【００８３】
第５の実施の形態では、２モジュールの血液凝固分析部を備える自動分析装置について説明した。ここでは、分析分野の異なる複数の分析部を備えたモジュールタイプの自動分析装置への適用例について、図１１を用いて説明する。
ここで、本図には示していないが、本実施の形態に係る第１の遮光機構１１７、第２の遮光機構１１８は、図１１における分析ユニット９２６、９２７なお、遮光機構の構成は上述した実施の形態と同様であるため、詳細な説明は省略する。ただし、モジュールタイプの装置の場合では、各分析ユニットにおける分析ポートの数が、スタンドアローンタイプの装置と比較して多くなる。また分析ユニット９２６、９２７における分析ポートの各々には、上述した実施の形態と同様に、反応容器に収容されるサンプルと試薬との混合液である反応液に対して光を照射する光源と、光源からの光を検出する受光部（検出器）とからなる光学系を備えている。
【００８４】
図１１は、本実施の形態に係る生化学分析部と血液凝固分析部とを備えた自動分析装置の基本構成を示す図である。自動分析装置１１００は、上述した第１血液凝固分析部９１２、第２血液凝固分析部９１７の他に、生化学分析部１１０１を備えている点で、第４の実施の形態に係る自動分析装置９００と異なっている。生化学分析部１１０１は、本図には詳細を示さないが、主に、サンプルラック１１０４からサンプルを吸引し、反応容器に吐出するサンプル分注機構と、試薬を収容する試薬容器を搭載する試薬ディスク１１０２と、試薬容器から試薬を吸引し、反応容器に吐出する試薬分注機構と、反応液に光を照射する光源、及び光源からの光を検出する受光部（検出器）とからなる光学系を有する反応ディスク１１０３と、を備える。制御部９２２は、生化学分析部１１０１において検出されたデータに基づいて目的成分の濃度等を演算により求める。
【００８５】
また、生化学分析部１１０１と、第１血液凝固分析部９１２、第２血液凝固分析部９１７の配置には特に限定はないが、サンプルラック１００４の渋滞を抑制するためには、検体処理能力の高い生化学分析部１１０１を上流側、すなわちサンプルラックが供給される箇所に近くなるように配置することが望ましい。
【００８６】
なお、本発明は上記した実施の形態に限定されるものではなく、様々な変形例が含まれる。例えば、上記した実施の形態は本発明を分かりやすく説明するために詳細に説明したものであり、必ずしも説明した全ての構成を備えるものに限定されるものではない。また、ある実施の形態の構成の一部を他の実施の形態の構成に置き換えることが可能であり、また、ある実施の形態の構成に他の実施の形態の構成を加えることも可能である。また、各実施の形態構成の一部について、他の構成の追加・削除・置換をすることが可能である。
【符号の説明】
【００８７】
１００・・・自動分析装置
１０１・・・サンプル容器
１０２・・・サンプルディスク
１０３・・・試薬容器
１０４・・・試薬ディスク
１０５・・・反応容器
１０６・・・サンプル分注機構
１０７・・・試薬分注機構
１０７ａ・・・試薬分注プローブ
１０８・・・サンプル分注ポート
１０９・・・分析ユニット
１０９ａ・・・分析ポート
１１０・・・反応容器供給部
１１１・・・洗浄機構
１１２・・・反応容器廃棄部
１１３・・・反応容器移載機構
１１４・・・制御部
１１５・・・光源
１１６・・・受光部（検出器）
１１７・・・第１の遮光機構
１１７ａ、１１７ｂ・・・第１の遮光機構の移動方向
１１８・・・第２の遮光機構
１１８ａ、１１８ｂ・・・第２の遮光機構の移動方向
１１８１、１１８２・・・第２の遮光機構の開口部
７０４・・・反応液（サンプルと試薬との混合液）
９００・・・自動分析装置（モジュールタイプ）
９０１・・・サンプルラック
９０２・・・ラック供給部
９０３・・・ラック収納部
９０４・・・搬送ライン（送り方向）
９０５・・・搬送ライン（戻り方向）
９０６・・・ラック待機部
９０７・・・ラックハンドリング機構
９０８・・・ラック戻し機構
９０９・・・ラック振り分け機構
９１０・・・緊急サンプルラック投入部
９１１・・・読取部（搬送ライン）
９１２・・・第１血液凝固分析部
９１３・・・第１分注ライン
９１４・・・第１ラック搬入機構
９１５・・・第１ラックハンドリング機構
９１６・・・読取部（第１血液凝固分析部）
９１７・・・第２血液凝固分析部
９１８・・・第２分注ライン
９１９・・・第２ラック搬入機構
９２０・・・第２ラックハンドリング機構
９２１・・・読取部（第２血液凝固分析部）
９２２・・・制御部
９２３・・・記憶部
９２４・・・出力部
９２５・・・入力部
９２６・・・第１分析ユニット
９２７・・・第２分析ユニット
１００１・・・反応容器
１００２・・・反応容器マガジン
１００３・・・試薬カセット
１００４・・・試薬ディスク
１００５・・・試薬情報読取部
１００６・・・分析ポート
１００７・・・分析ユニット
１００８・・・プリヒートポート
１００９・・・プリヒートユニット
１０１０・・・待機ポート
１０１１・・・待機ユニット
１０１２・・・反応容器移載機構
１０１３・・・試薬カセット供給部
１０１４・・・試薬カセット収納部
１０１５・・・試薬カセット移送機構
１０１６・・・サンプル分注ポート
１０１７・・・サンプル分注機構
１０１８・・・サンプルプローブ洗浄槽
１０１９・・・第１試薬分注機構
１０２０・・・第１試薬プローブ分注機構
１０２１・・・第２試薬分注機構
１０２２・・・第２試薬プローブ洗浄槽
１０２３・・・反応容器廃棄部１１００・・・自動分析装置（モジュールタイプ）
１１０１・・・生化学分析部
１１０２・・・試薬ディスク
１１０３・・・反応ディスク
１１０４・・・サンプルディスク
【図１】
2017033641.tif 000003
【図２】
2017033641.tif 000004
【図３】
2017033641.tif 000005
【図４】
2017033641.tif 000006
【図５Ａ】
2017033641.tif 000007
【図５Ｂ】
2017033641.tif 000008
【図６】
2017033641.tif 000009
【図７】
2017033641.tif 000010
【図８】
2017033641.tif 000011
【図９】
2017033641.tif 000012
【図１０】
2017033641.tif 000013
【図１１】
2017033641.tif 000014
【図１２】
2017033641.tif 000015
【図１３】
2017033641.tif 000016
【図１４】
2017033641.tif 000017
【国際調査報告】
2017033641.tif 000018
2017033641.tif 000019
2017033641.tif 000020
2017033641.tif 000021